【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項１】
強風および他の過酷な天候状態で安定しており、フレアスタックの開口端部から排出される可燃性流体を点火するために連続的に動作するフレアパイロットであって、
混合気入口パイプと、
前記混合気入口パイプに接続された混合気排出ノズルと、
前記混合気排出ノズルまたは前記混合気入口パイプに取り付けられた下端部を有するウインドシールドとを備え、前記混合気排出ノズルから排出される混合気が、ウインドシールドの内部に流入し、前記ウインドシールドが、前記フレアスタックの前記開口端部に面する前記ウインドシールドの前部に配置されている直立壁部を含む開口上端部を有するフレアパイロット。
【請求項２】
前記直立壁部に対して実質的に直角を成して配置され前記ウインドシールドの対向する各側面に、前記ウインドシールドの内部への風の流入を可能にする少なくとも１つの開口を更に備えている、請求項１に記載のフレアパイロット。
【請求項３】
前記ウインドシールドの前記対向する各側面に取り付けられ、前記開口の実質的に周囲に配置される、外側に延びるウインドキャッチングバッフルを更に備えている、請求項１に記載のフレアパイロット。
【請求項４】
前記ウインドシールドに取り付けられた前記混合気排出ノズルから排出される前記混合気を点火するための手段を更に備えている、請求項１に記載のフレアパイロット。
【請求項５】
前記ウインドシールドに取り付けられ、前記ウインドシールド内の火炎の存在の有無を検出するための手段を更に備えている、請求項１に記載のフレアパイロット。
【請求項６】
前記ウインドシールドの前記開口上端部の前記直立壁部に、前記ウインドシールドの前記開口上端部の内側から前記ウインドシールドの外側に向かって雨および風を排出するための少なくとも１つの開口を更に備えている、請求項１に記載のフレアパイロット。
【請求項７】
前記ウインドシールドの前記開口上端部の前記直立壁部に、前記ウインドシールドの前記開口上端部の内側から前記ウインドシールドの外側に向かって雨および風を排出するための複数の開口を更に備えている、請求項１に記載のフレアパイロット。
【請求項８】
前記ウインドシールドが略円筒形状を成している、請求項１に記載のフレアパイロット。
【請求項９】
前記ウインドシールド内に配置され、前記混合気排出ノズルに取り付けられ前記混合気排出ノズルを取り囲む多孔火炎スタビライザを更に備えている、請求項１に記載のフレアパイロット。
【請求項１０】
前記ウインドキャッチングバッフルが逆Ｕ字形状を成している、請求項３に記載のフレアパイロット。
【請求項１１】
前記各ウインドキャッチングバッフルは、前記ウインドシールドの複数の開口を実質的に取り囲むように配置されている、請求項３に記載のフレアパイロット。
【請求項１２】
各バッフル内の前記ウインドシールドの前記複数の開口は、前記開口を通じて流れる風が、前記ウインドシールドの下端部に向かって下方に流れるように方向付けられている、請求項１１に記載のフレアパイロット。
【請求項１３】
前記ウインドシールド内で前記混合気を点火する前記手段は、火炎フロント点火装置である、請求項４に記載のフレアパイロット。
【請求項１４】
前記ウインドシールド内の火炎の存在の有無を検出するための前記手段は、音響火炎検出装置である、請求項５に記載のフレアパイロット。
【請求項１５】
火炎点火および検出装置を備え、該火炎点火および検出装置は、前記ウインドシールドに取り付けられて、前記ウインドシールドの内部に連通する端部と所定の長さとを有するパイプを備え、前記パイプを通じて点火火炎が伝搬し、前記ウインドシールド内の前記混合気を点火することができ、前記ウインドシールド内の火炎によって生じる音が、前記パイプによって前記火炎パイロットから離れた場所に伝えられ、さらに、火炎点火および検出装置は、前記パイプを通じて伝搬する点火火炎を形成するために、前記離れた場所で前記パイプに接続される点火火炎フロント発生器と、前記パイプによって伝えられる音を検出して前記音を示す電気信号を形成するために、前記離れた場所で前記パイプに接続される音検出器と、前記電気信号を受信し且つ受信信号に応答して前記火炎の存在の有無を知らせる電子手段とを更に備えている、請求項１に記載のフレアパイロット。
【請求項１６】
前記ウインドシールドは、前記混合気が点火された時に、圧力を逃がす少なくとも１つの開口を有している、請求項４に記載のフレアパイロット。
【請求項１７】
前記ウインドシールドは、前記混合気が点火された時に、圧力を逃がす複数の開口を有している、請求項４に記載のフレアパイロット。
【請求項１８】
強風および他の過酷な天候状態で安定しており、フレアスタックの開口端部から排出される可燃性流体を点火するために連続的に動作するフレアパイロットであって、
混合気入口パイプと、
前記混合気入口パイプに接続された混合気排出ノズルと、
前記混合気排出ノズルまたは前記混合気入口パイプに取り付けられた下端部を有するウインドシールドとを備え、前記混合気排出ノズルから排出される混合気が、ウインドシールドの内部に流入し、前記ウインドシールドは、開口上端部を有するとともに、前記フレアスタックの前記開口端部に面するウインドシールドの前部に配置された前記開口上端部の直立壁部を有し、前記直立壁部は、前記ウインドシールドの前記開口上端部の内部から前記ウインド・シールドの外部に向かって雨および風を排出するための、下方に方向付けられた複数の開口を含み、前記フレアパイロットは、さらに、
前記直立壁部に対して実質的に直角を成して配置される前記ウインドシールドの対向する各側面に設けられ、前記ウインドシールドの内部への風の流入を可能にする複数の開口と、
前記ウインドシールドの前記対向する側面に取り付けられ、外側へ延びる一対のウインドキャッチングバッフルとを備え、前記各ウインドキャッチングバッフルが、前記ウインドシールドの前記複数の開口の一つを実質的に取り囲むように配置されるフレアパイロット。
【請求項１９】
前記ウインドシールド内に配置され、前記混合気排出ノズルに取り付けられて前記混合気排出ノズルを取り囲む、多孔火炎スタビライザと、
前記ウインドシールドに取り付けられた火炎点火および検出装置と、
を更に備えている、請求項１８に記載のフレアパイロット。
【請求項２０】
前記ウインドシールドは、前記ウインドシールドの前記開口上端部の内側から前記ウインドシールドの外側に向かって雨および風を排出するための、前記ウインドシールドの前記直立壁部の下側で下方に方向付けられた複数の開口を更に備えている、請求項１８に記載のフレアパイロット。
【請求項２１】
前記ウインドシールドが略円筒形状を成している、請求項１８に記載のフレアパイロット。
【請求項２２】
前記内側多孔火炎スタビライザが略円筒形状を成している、請求項１８に記載のフレアパイロット。
【請求項２３】
前記ウインドキャッチングバッフルが逆Ｕ字形状を成している、請求項１８に記載のフレアパイロット。
【請求項２４】
各バッフル内の前記複数の開口は、前記開口を通じて流れる風が、前記ウインドシールドの下端部に向かって下方に流れるように方向付けられている、請求項１８に記載のフレアパイロット。
【請求項２５】
前記火炎点火および検出装置は、前記ウインドシールドに取り付けられ、前記ウインドシールドの内部に連通する端部と所定の長さとを有するパイプを備え、前記パイプを通じて点火火炎が伝搬して、前記ウインドシールド内の前記混合気を点火することができ、前記ウインドシールド内の火炎によって生じる音が、前記パイプによって前記フレアパイロットから離れた場所に伝えられ、さらに、火炎点火および検出装置は、前記パイプを通じて伝搬する点火火炎を形成するために、前記離れた場所で前記パイプに接続される点火火炎フロント発生器と、前記パイプによって伝えられる音を検出して前記音を示す電気信号を形成するために、前記離れた場所で前記パイプに接続される音検出器と、前記電気信号を受信し且つ受信信号に応答して前記火炎の存在の有無を知らせる電子手段とを備えている、請求項１８に記載のフレアパイロット。
【請求項２６】
強風、雨、および他の過酷な天候下で、フレアスタックの開口端部から排出される可燃性流体を点火するための方法であって、
（ａ）毎時１６０マイル（約７２メートル）／時以上の風速下、且つ２インチ（約５１ｍｍ）／時以上の雨量下で点火し続ける少なくとも１つのフレアパイロットを、フレアスタックの開口端部に取り付け、フレアパイロットは、混合気入口パイプと、前記混合気入口パイプに接続された混合気排出ノズルと、前記混合気排出ノズルまたは前記混合気入口管路に取り付けられる下端部を有するウインドシールドとを有し、前記混合気排出ノズルから排出される混合気が、前記ウインドシールドの内部に流入し、前記ウインドシールドは、開口上端部と、前記フレアスタックの前記開口端部に面する前記開口上端の直立壁部と、直立壁部に対して実質的に直角を成して位置する対向する各側面に設けられ、ウインドシールドの内部への風の流入を可能にする少なくとも１つの開口とを有するステップと、
（ｂ）前記フレアパイロットを連続的に動作させて、フレアスタックの開口端部から排出される可燃性流体を点火するステップと、
を備えている方法。
【請求項２７】
前記フレアパイロットは、前記ウインドシールドの前記対向する各側面に取り付けられ、前記開口の実質的に周囲に配置される、外側へ延びるウインドキャッチングバッフルを更に備えている、請求項２６に記載の方法。